(57)【要約】【課題】  従来の電動で作動する、蝶番で開閉する扉錠、あるいは引き戸扉錠では、デッドボルトの駆動のためには、部品が多数使用され、構造が複雑で、製品単価の上昇や故障の原因になっている。また、機構内部での力量の配分、力量の方向などの適正化が難しく、作動力量もしばしば重くなり、作動音も使用部品の衝突、摩擦などにより、しばしば大きくなりがちで、また手動施開錠時の作動感触を円滑にすることも困難であった。【解決手段】 本発明では、デッドボルトとその相手であるストライカを、雌雄のネジそのものとして形成し、デッドボルトの雄ネジをモータで直接回転駆動し、ストライカ側の雌ネジへねじ込むことで錠前とする。デッドボルト、ストライカ部分は極めて強固に結合され、蝶番で開閉する扉と引き戸の両用となり、従来の「鎌」の機能も果たすことができる。構成部品数は大幅に減少し、作動音も減少、作動効率も良く、製品単価も低減する。【選択図】  図１
2007191873.tif 000002
【特許請求の範囲】
【請求項１】
電動の、蝶番で開閉する扉の扉錠、あるいは引き戸錠において、デッドボルトとストライカを、雌雄のネジとして構成することを特徴とする、電動扉錠。
【請求項２】
請求項１において、デッドボルトをモータに直結して、デッドボルトと駆動モータを一体化したユニットとし、そのユニット全体が摺動してデッドボルトを構成することを特徴とする、電動扉錠。
【請求項３】
請求項２において、施錠開始時に必要な雌雄ネジの噛合い結合のために、上記のデッドボルトと駆動モータを一体化したユニットをソレノイドで、適正位置にする構造を特徴とする、電動扉錠。
【請求項４】
請求項２において、開錠時に、雌雄ネジの噛合いがはずれたときに、上記のデッドボルトと駆動モータを一体化したユニットを、錠前筐体内に完全に収納するための、戻しバネが設置された構造を特徴とする、電動扉錠。
【発明の詳細な説明】
【技術分野】
【０００１】
この発明は、蝶番で開閉する扉と、引き戸の、錠前に関する。
【背景技術】
【０００２】
蝶番で開閉する電動の扉錠では、従来は、直方体の形態のデッドボルトがストライカに対して直線的に出入するものである。デッドボルトの直線的駆動は、回転部品とレバー部品によるリンク部品多数で構成されていて、たとえば、ゼネバ機構に類似した機構のものが多い。また、デッドボルトに加えて、さらに鎌状の突起をデッドボルトから突出させて防犯性能を向上させたり、鎌状の突起でのみ構成し、引き戸錠としたものもある。それらの回転とリンク部品による機構構成は、構造が複雑で、構成部品数も多く、製品単価の上昇や故障の原因になっている。また、リンク機構内部での力量の配分、力量の方向などの適正化が難しく、作動力量もしばしば重くなり、作動音も使用部品の衝突、摩擦などにより、大きくなりがちで、また手動施開錠時の作動感触を円滑にすることも困難であった。
【０００３】
【特許文献１】特開平７−１９７７０８
【発明の開示】
【発明が解決しようとする課題】
【０００４】
従来の電動の扉錠のデッドボルトや鎌状の施錠部品の駆動方法は、上述のように、構造が複雑で、必要部品数も多く、作動力量の重いこと、作動音の大きいこと、手動による作動感触が円滑でないこと、また、製品単価の上昇や故障の原因になっていることなどの問題があった。        
【０００５】
本発明は、上述の状況を改善して、構造が簡単で、部品数の少ない、安価で故障の少ない、また、作動力量が少ない、作動音が低い、手動による作動感触が円滑良好な、デッドボルト駆動方法の扉錠を提供することを目的としている。
【課題を解決するための手段】
【０００６】
本発明では、デッドボルトあるいは鎌状突起の機能の役割を、扉枠側のストライカを雌ネジとすること、扉側のデッドボルトあるいは鎌状の突起を、電動のモータに雄ネジとすることで果たしている。また、この逆に扉枠側を雄ネジ、扉側を雌ネジとしてもよい。
【発明の効果】
【０００７】
この発明によれば、デッドボルトは、何らのリンクレバー部品を必要としなくて、駆動される。そのため、デッドボルト駆動のための部品数も少なく、その構造は簡単となる。また、回転という安定した作動形式のため、力量伝達も効率化するため、作動力量は軽く、従って、作動音は小さくなる。手動による場合も、スイッチによる電動モータ駆動を介するので、作動感触も円滑となる。その結果、製品単価が安価で、故障の少ない電動扉錠を提供できる。
【発明を実施するための最良の形態】
【０００８】
本発明を図１から図３に示す実施例に基づいて説明する。
【実施例】
【０００９】
図１は開錠状態、図２は開錠から施錠を開始したときの状態、図３は施錠状態を示している。
【００１０】
図１の開錠状態において、錠前筐体１の下部に、円形のデッドボルト雄ネジ１６が配置される。デッドボルト雄ネジ１６には、雄ネジが加工されている。デッドボルト雄ネジ１６はデッドボルトエンド１５と一体で形成され、モータ８の回転軸と直結している。モータ８本体の上部と下部の両端近くにはモータ８外装と一体の、モータ上部左吊環５、モータ上部右吊環６とモータ下部左吊環１４、モータ下部右吊環１０が設置されている。それら吊環はそれぞれ、円形軸状の上吊環ガイドレール７、下吊環ガイドレール９を摺動のための案内として、摺動できる。つまり、デッドボルト雄ネジ１６、デッドボルトエンド１５、モータ８の連結した一体のユニットは、上記ふたつのガイドレールに案内され、左右に摺動できる。
【００１１】
モータ下部左吊環１４の下部は延長されていて、吊環バネ止めピン１３が固定設置され、吊環バネ止めピン１３には、戻しバネ１２の左端が掛止されている。戻しバネ１２の右端は、錠前筐体１に固着されたバネ止めピン１１に掛止されている。戻しバネ１２は、引張コイルバネであって、開錠状態では、デッドボルト雄ネジ１６、デッドボルトエンド１５、モータ８の連結した一体のユニットを図１の位置に保持する。
【００１２】
上吊環ガイドレール７の上部には、ソレノイド２０が設置されている。ソレノイド２０のプランジャ３の先端にはソレノイドレバー４が固着されていて、ソレノイドレバー４の下部端には、横穴が設置されていて、上吊環ガイドレール上で摺動可能となっている。また、ソレノイドレバー４は、図１の開錠状態では、モータ上部右吊環６の右の位置で連接、接触している。
【００１３】
ＣＰＵコントローラ２は、モータ８とソレノイド２０が電気的に結線されている。また、図示されていないサムターンの開閉にともなうスイッチや、扉外部の扉管理センタへも電気的に結線されている
【００１４】
デッドボルト雄ネジ１６の相手側であるストライカ雌ネジ１８は、ストライカベース１７に加工設置されている。ストライカベース１７は、ストライカ取付板２１に固着されていて、扉枠のストライカ収納スペース１９に固着され、ストライカ部分を形成している。
【００１５】
次に、この扉錠の動作について説明する。
【００１６】
図１の開錠状態において、手動操作によるサムターンの回転による、サムターンに設置されたスイッチからの、あるいは、扉外部の扉管理センタからの、施錠信号がＣＰＵコントローラ２に伝達されると、ソレノイド２０が作動する。また同時にモータ８も、デッドボルト雄ネジ１６のネジが締まる方向へ回転し始める。ソレノイド２０はプランジャ３を作動させ、その先端のソレノイドレバー４が、図の左方向へ移動し始める。ソレノイドレバー４と連接したモータ上部右吊環６はソレノイドレバー４に押され、デッドボルト雄ネジ１６、デッドボルトエンド１５、モータ８の連結した一体のユニットは、図の左に摺動する。
【００１７】
そして、図２の状態である、デッドボルト雄ネジ１６が、ストライカ雌ネジ１８と噛合う位置となり、ソレノイド作動によってさらにストライカ部分側へ押込まれる。デッドボルト雄ネジ１６は、これと一体のモータ８によってネジの締まる方向に回転しているので、ストライカ雌ネジ１８の内部へネジ込まれていく。最終的に、デッドボルトエンド１５は、錠前筐体１の側壁と衝突し、モータ８によって駆動されているデッドボルト雄ネジ１６は強制的に回転を停止させられる。この時モータ８には過電流が流れ、ＣＰＵコントローラ２はこれを検知してモータ８を停止させる。また、ソレノイドも作動を停止し、ソレノイドレバーは、もとの位置に復帰する。よって、図３の施錠状態に達する。
【００１８】
開錠状態から施錠状態へは、上記とほぼ逆の動作となる。図３の施錠状態において、手動操作によるサムターンの回転による、サムターンに設置されたスイッチからの、あるいは、扉外部の扉管理センタからの、開錠信号がＣＰＵコントローラ２に伝達されると、モータ８が、ネジの緩む方向に回転し、デッドボルト雄ネジ１６は、ストライカ雌ネジ１８から離脱する方向へ移動する。デッドボルトエンド１５、モータ８も移動し、図２の位置の状態に達する。この位置でデッドボルト雄ネジ１６と、ストライカ雌ネジ１８のネジの噛合いは解消され、モータの負荷電流の変化を検知したＣＰＵコントローラ２はモータ８を停止させる。デッドボルト雄ネジ１６、デッドボルトエンド１５、モータ８の連結した一体のユニットは、戻しバネ１２によって、図１の開錠状態となる。
【図面の簡単な説明】
【００１９】
【図１】開錠状態を示す、錠前筐体の構造平面図
【図２】開錠、施錠の中間過程を示す、錠前筐体の構造平面図
【図３】施錠状態を示す、錠前筐体の構造平面図
【符号の説明】
【００２０】
１  錠前筐体  
２  ＣＰＵコントローラ  
３  プランジャ
４  ソレノイドレバー
５  モータ上部左吊環
６  モータ上部右吊環
７  上吊環ガイドレール
８  モータ
９  下吊環ガイドレール
１０  モータ下部右吊環
１１  バネ止めピン
１２  戻しバネ
１３  吊環バネ止めピン
１４  モータ下部左吊環
１５  デッドボルトエンド
１６  デッドボルト雄ネジ
１７  ストライカベース
１８  ストライカ雌ネジ
１９  ストライカ収納スペース
２０  ソレノイド
２１  ストライカ取付板
【図１】
2007191873.tif 000003
【図２】
2007191873.tif 000004
【図３】
2007191873.tif 000005